(57)【要約】  【課題】  １本の１芯同軸信号線で直流電流と低周波信号と高周波信号を送る。  【解決手段】  送信部は、高周波信号Ｈｆを受信部で用いる直流電流（ＤＣ）に重畳して送り、低周波信号Ｌｆは高周波信号を必要としないときに時分割Ｌｆ１、Ｌｆ２で直流電流（ＤＣ）に重畳して送る。受信部は、全ての信号を分離することなく高周波信号のみを分離する。低周波信号Ｌｆを用いる回路を直流電流（ＤＣ）の影響なく動作するように工夫し、低周波信号Ｌｆは直流電流（ＤＣ）と分離することなく用いる。１本の１芯同軸信号線で（ＤＣ）、Ｌｆ、Ｈｆを伝送でき、また、高周波信号のみを直流電流から分離すればよいので、信号分離が容易であるので、商品的、コスト的に有利となる。  【選択図】  図４
2005051461.tif 000002
【特許請求の範囲】
【請求項１】
送信部から受信部へ直流電流と高周波信号および低周波信号を１本の1芯同軸信号線で送る伝送方式であって、
前記送信部は高周波信号を前記直流電流に重畳して送り、前記低周波信号を前記受信部が前記高周波信号を必要としないときに時分割で前記直流電流に重畳して送り、
前記受信部は、前記直流電流に重畳された高周波信号のみを分離する分離回路を有することを特徴とする直流電流と低周波信号と高周波信号の重畳伝送方式。
【請求項２】
請求項１において、
前記送信部は赤外線で音声信号を転送するデジタル光空間伝送システムを備えた家庭用ドルビサランドシステムの本体の送信部であり、前記受信部はデジタル光空間伝送システムの転送部であり、
前記直流電流は前記デジタル光空間伝送システムの転送部への電源電流であり、前記高周波信号はデジタルオーディオ信号であり、前記低周波信号はリモコン信号であることを特徴とする直流電流と低周波信号と高周波信号の重畳伝送方式。
【発明の詳細な説明】
【技術分野】
【０００１】
本発明は、直流電流と低周波信号と高周波信号を１本のピンケーブルで送ることができる直流電流と低周波信号と高周波信号の重畳伝送方式に関するものである。
【背景技術】
【０００２】
従来、デジタル空間伝送システム（ＤＩＡＴ）を備えた家庭用ドルビサランドシステム（ホームシアタ）は、図７に示すように、ＣＤプレイヤなどオーディオ再生装置を有する本体１０からＤＩＡＴ送信部（転送部）２０Ａへピンケーブルなどの同軸信号線１５を用いて高周波数のデジタルオーディオ信号（（３〜６ＭＨｚ））及びＤＩＡＴ送信部２０Ａの電源用直流電流を伝送し、ＤＩＡＴ送信部２０Ａはこの直流電流で動作して伝送されるデジタルオーディオ信号を受信し、直流電流に重畳されているデジタルオーディオ信号を分離し、信号処理して赤外線でＤＩＡＴ信号を左（右）（Ｌ（Ｒ））のリアスピーカ装置４０Ｌ（Ｒ）側にあるＤＩＡＴ受信部３１Ｌ（Ｒ）に転送し、ＤＩＡＴ受信部３１Ｌ（Ｒ）はこのＤＩＡＴ信号を受信して音楽信号をリアスピーカ装置４０Ｌ（Ｒ）のアンプ４１Ｌ（Ｒ）に出力するように構成されている。
【０００３】
ＤＩＡＴ受信部３１Ｌ（Ｒ）などワイヤレス機器の消費電力が大きいので、必要のないときには、その電源をオフしているのが望ましい。特に、ワイアレス機器をバッテリ機器とした場合は、必須である。またリアスピーカ装置のアンプ４１Ｌ（Ｒ）などに電源も必要のないときオフしているのが、必須である。
【０００４】
従来、外部装置の省電力化のため、外部装置に対して電力供給開始、電力供給遮断等の処理を通して行なうことは、画像処理装置などで知られている（例えば、特許文献１参照）。
【特許文献１】特開平８−１７４９６３号公報（図１）。
【発明の開示】
【発明が解決しようとする課題】
【０００５】
上記ＤＩＡＴ受信部やリアスピーカ装置のアンプの電源を赤外線リモコンで制御することを考える。その場合、赤外線リモコン送信部（リモコンＬＥＤ）をＤＩＡＴ送信部に設けることになる。しかし、ホームシアタの本体からＤＩＡＴ送信部に、電源用の直流電流、デジタルオーディオ信号、リモコン制御信号を送るための接続線に特殊なものや煩雑なものを使用することは、商品上、コスト上望ましくない。
【０００６】
本発明は、このような課題に鑑みてなされたものであり、１本の１芯同軸信号線で、直流電流と低周波信号と高周波信号を送ることができる直流電流と低周波信号と高周波信号の重畳伝送方式を提供することを目的とする。
【課題を解決するための手段】
【０００７】
本発明の直流電流と低周波信号と高周波信号の重畳伝送方式は、送信部から受信部へ直流電流と高周波信号および低周波信号を１本の1芯同軸信号線で送る伝送方式であって、前記送信部は高周波信号を前記直流電流に重畳して送り、前記低周波信号を前記受信部が前記高周波信号を必要としないときに時分割で前記直流電流に重畳して送り、前記受信部は、前記直流電流に重畳された高周波信号のみを分離し、低周波信号Ｌｆを用いる回路を直流電流（ＤＣ）の影響なく動作するように工夫し、低周波信号は直流電流と分離しないようにしたものである。
【発明の効果】
【０００８】
本発明は、送信部から受信部へ直流電流と高周波信号および低周波信号を１本の1芯同軸信号線で送る伝送方式であって、送信部は高周波信号を直流電流に重畳して送り、低周波信号を受信部が前記高周波信号を必要としないときに時分割で直流電流に重畳して送り、受信部は直流電流に重畳された高周波信号のみを分離する分離回路を有するものであるから、
（１）１本の1芯同軸信号線で直流電流と高周波信号および低周波信号を伝送できるので、伝送する接続線に特殊なものや煩雑なものを使用する必要がなく、商品上、コスト上有利である。  
（２）受信部は高周波信号のみを分離すればよく、全ての信号を分離する高価な信号分離回路を必要としない。
【発明を実施するための最良の形態】
【０００９】
図１、図２に実施形態に係る家庭用ドルビサランドシステム（ホームシアタ）の概略構成図を示す。ホームシアタの本体１０とフロントスピーカ５０Ｌ、５０Ｃ、５０Ｒは直接が接続され、本体１０とリアスピーカ装置４０Ｌ、４０ＲはＤＩＡＴ・リモコン送信部２０とＤＩＡＴ受信部３１からなるデジタル光空間伝送システム（ＤＩＡＴ）によりが接続されている。本体１０の近くに設けられているＤＩＡＴ・リモコン送信部２０は、本体１０と１本のビデオ用ピンケーブル（１芯の同軸信号線）１５で接続されいる。また、リア側にはＤＩＡＴ受信部３１Ｌ（Ｒ）とリアスピーカ装置４０Ｌ（Ｒ）の電源を制御するリモコン受信部３２Ｌ（Ｒ）が設けられている。
【００１０】
本体１０は、図３に示すように、本体制御用リモコン（図示省略）のＤＩＡＴオンボタンの操作により動作するＣＤプレーヤなどオーディオ再生装置１１と、このオーディオ再生装置１１からのオーディオステレオＬ、Ｒの信号を高周波数帯（数ＭＨｚ以上）のＬ、Ｒデジタルオーディオ信号Ｈｆ１、Ｈｆ２（Ｈｆ）に変換するオーディオ信号処理部１２と、低周波数帯（数１００〜数１０ｋＨｚ）のリモコンオン信号又はリモコンオフ信号Ｌｆ（Ｌｆ１ｏｒＬｆ２）を出力するリモコン信号処理回路１３と、上記本体リモコンのＤＩＡＴオンボタンの操作によりオンし電源用直流電流（ＤＣ）を出力するトランジスタスイッチ（ＴｒＳＷ）と、本体１０に内蔵するマイコンの制御により、図４に示すタイミングで、電源用直流電流（ＤＣ）と、リモコン信号Ｌｆ及びデジタルオーディオ信号Ｈｆ１を重畳して同軸信号線１５へ送出するＭＩＸ（混合）部１４とにより構成されている。
【００１１】
ＤＩＡＴ・リモコン送信部２０は、図５に示すように、高周波信号分離回路２１と、この高周波信号分離回路２１で分離されたＬ、Ｒの高周波信号Ｈｆ１、Ｈｆ２をそれぞれ入力するＤＩＡＴ信号処理回路２２Ｌ（Ｒ）と、ＤＩＡＴＬＥＤ駆動回路２３Ｌ（Ｒ）及びリモコンＬＥＤ駆動回路２４Ｌ（Ｒ）から構成されている。これら回路は同軸信号線１５の直流電流（ＤＣ）を電源として動作するようにインダクタンス１６を介して同軸信号線１５に接続されている。
【００１２】
高周波分離回路２１は、伝送されてきた直流電流（ＤＣ）、リモコン信号Ｌｆデジタルオーディオ信号Ｈｆから、Ｌ、Ｒのデジタルオーディオ信号Ｈｆ１、Ｈｆ２を分離する２つのＢＰＦ（バンドパスフィルタ）などで構成されている。
【００１３】
ＤＩＡＴ信号処理回路２２Ｌ（Ｒ）は分離されたデジタルオーディオ信号ＨｆをＤＩＡＴ信号処理してＬ（Ｒ）のＤＩＡＴ信号を出力するように構成されている。ＤＩＡＴＬＥＤ駆動回路２３Ｌ（Ｒ）はそれぞれＬ（Ｒ）のＤＩＡＴ信号でＬＥＤを駆動し、Ｌ（Ｒ）の赤外線のＤＩＡＴ信号Ｈｆを出力するように構成されている。また、リモコンＬＥＤ駆動回路２４Ｌ（Ｒ）は、直流電流（ＤＣ）に重畳されたリモコン信号Ｌｆ１又はＬｆ２でＬＥＤを駆動して赤外線のリモコンオン信号Ｌｆ１又はリモコンオン信号Ｌｆ２を出力するように構成されている。
【００１４】
リヤスピーカ装置側に設けられるＤＩＡＴ受信部（受光部）３１Ｌ（Ｒ）は、図６に示すように、バッテリーＢを電源とし、電源スイッチＳＷ１のオンで動作可能となり、赤外線ＤＩＡＴ信号ＨｆＬ（Ｒ）が入力するとＬ（Ｒ）の音声信号をリヤスピーカ装置４０Ｌ（Ｒ）のアンプ４１Ｌ（Ｒ）に出力するように構成されている。また、アンプ４１Ｌ（Ｒ）もバッテリーＢを電源とし、電源スイッチＳＷ２のオンで動作可能となるようにしてある。
【００１５】
リモコン受光部３２Ｌ（Ｒ）は、赤外線リモコンオン信号Ｌｆ１が入力すると、オン制御信号ＳONをＤＩＡＴ受信部３１Ｌ（Ｒ）の電源スイッチＳＷ１及びアンプ４１Ｌ（Ｒ）の電源スイッチＳＷ２へ出力する。また、赤外線リモコンオフ信号Ｌｆ２が入力すると、オフ制御信号Ｓ0FFをＤＩＡＴ受信部３１Ｌ（Ｒ）の電源スイッチＳＷ１及びアンプ４１Ｌ（Ｒ）の電源スイッチＳＷ２へ出力するように構成されている。
【００１６】
赤外線リモコンの消費電力は極めて小さいので、赤外線リモコンの電源（図示省略）は常時オンにしてある。
【００１７】
次に図４を参照して、上記本体１０から１本の同軸信号線１５を用いて伝送する直流電流（ＤＣ）、デジタルオーディオ信号Ｈｆ、リモコンオン信号Ｌｆのタイミング及びＤＩＡＴ機器やリモコンの動作などについて説明する。
（ａ）ＤＩＡＴオフ時は、伝送機能が停止状態にあるので、本体１０から直流電流（ＤＣ）の伝送がなく、ＤＩＡＴ・リモコン送信部２０（図５）は動作停止状態になっている。また、ＤＩＡＴ受信部３１Ｌ（Ｒ）の電源スイッチＳＷ１及びアンプ４１Ｌ（Ｒ）の電源スイッチＳＷ２は共にオフになっている（図６）。
（ｂ）本体リモコンのＤＩＡＴオンボタンがオンされると、本体内のマイコンの制御により、ＤＩＡＴオン時に先立って本体のＭＩＸ回路１４から直流電流（ＤＣ）及びこれに重畳されたリモコンオン信号Ｌｆ１が伝送される。ＤＩＡＴ・リモコン送信部２０の各回路はこの直流電流（ＤＣ）によりが動作可能になる（図５）。直流電流（ＤＣ）に重畳されたリモコンオン信号Ｌｆ１は、赤外線リモコンＬＥＤ駆動回路２４Ｌ（Ｒ）に入力し赤外線リモコンオン信号として常時電源オンとなっているリモコン受光部３２Ｌ（Ｒ）に転送され（図５）、リモコン受光部３２Ｌ（Ｒ）が電源スイッチオンのオン制御信号Ｓ0Nを出力し、ＤＩＡＴ受信部３１Ｌ（Ｒ）の電源スイッチＳＷ１及びアンプ４１Ｌ（Ｒ）の電源スイッチＳＷ２をオンさせる（図６）。これによりＤＩＡＴ受信部３１Ｌ（Ｒ）及びアンプ４１Ｌ（Ｒ）の電源スイッチＳＷ１、ＳＷ２はオンとなり、ＤＩＡＴ受信部３１Ｌ（Ｒ）及びアンプ４１Ｌ（Ｒ）は動作可能な状態となる。
（ｃ）次いで、マイコンの制御によりＤＩＡＴオン時前にリモコンオン信号Ｌｆ１の伝送が停止され、直流電流のみの伝送となる。
（ｄ）ＤＩＡＴオン時になると、デジタルオーディオ信号Ｈｆ（Ｈｆ１、Ｈｆ２）が直流電圧（ＤＣ）に重畳されて伝送される。このときデジタルオーディオ信号Ｈｆは高周波のため信号電圧を低くして伝送する。デジタルオーディオ信号Ｈｆ（Ｈｆ１、Ｈｆ２）はＤＩＡＴ・リモコン送信部２０の信号分離回路２１で直流電流（ＤＣ）から分離され、ＤＩＡＴ信号処理部２２Ｌ（Ｒ）を介してＤＩＡＴＬＥＤ駆動回路２３Ｌ（Ｒ）から赤外線ＤＩＡＴ信号ＨｆＬ（Ｒ）としてＤＩＡＴ受信部３１Ｌ（Ｒ）に転送され、ＤＩＡＴ受信部３１Ｌ（Ｒ）からオーデオ信号がリアスピーカ装置４０Ｌ（Ｒ）のアンプ４１Ｌ（Ｒ）に入力し、リヤスピーカ４２Ｌ、４２Ｒから音楽が流れる。
（ｅ）デジタルオーディオ信号Ｈｆの伝送が終わると、直流電流（ＤＣ）の伝送のみとなる。
（ｆ）間もなくマイコンの制御によりモコンオフ信号Ｌｆ２が直流電流（ＤＣ）に重畳されて伝送され、赤外線リモコンＬＥＤ駆動回路２４Ｌ（Ｒ）に入力し、Ｌ（Ｒ）の赤外線リモコンオフ信号として常時電源オンしている赤外線リモコン受光部３２Ｌ（Ｒ）に転送され、リモコン受光部３２Ｌ（Ｒ）がオフ制御信号ＳOFFを出力し、ＤＩＡＴ受信部３１Ｌ（Ｒ）とアンプ４１Ｌ（Ｒ）の電源スイッチＳＷ１、ＳＷ２をオフにする。マイコンの制御によりリモコンオフ信号Ｌｆ２及び直流電流（ＤＣ）の伝送は停止される。
（ｇ）全ての伝送が終わりＤＩＡＴオフ時の状態に戻る。
【００１８】
上記では、１本の同軸信号線を用いて直流電流（電源）、低周波信号（リモコン制御信号）、高周波信号（ＤＩＡＴ信号）を伝送している。この伝送は、直流電流に高周波信号を重畳し、低周波信号は高周波信号と重ならないように直流電圧（又は直流電流）と分離せずに時分割で送っているので、高周波の分離が容易である。また、リモコンＬＥＤ駆動回路は直流電流に重畳された低周波信号を受けて低周波の赤外線信号が出力するように構成されているので、直流電流、低周波信号、高周波信号を全て分離する信号分離回路を必要としない。また、上記実施の形態は、本発明をホームシアタに適用した例であるが、本発明は、これに限定されるものではない。
【図面の簡単な説明】
【００１９】
【図１】実施の形態に係る家庭用ドルビサランドシステムの構成説明図。
【図２】同システムにおけるデジタル空間伝送システムのブロック図。
【図３】家庭用ドルビサランドシステム本体の概略構成を示すブロック図。
【図４】信号伝送ラインのタイミング図。
【図５】ＤＩＡＴ・リモコン信号送信部のブロック図。
【図６】ＤＩＡＴ・リモコン受光部側回路ブロック図。
【図７】従来例に係る家庭用ドルビサランドシステムの構成説明図。
【符号の説明】
【００２０】
１０…家庭用ドルビサランドシステム（ホームシアタ）の本体
１１…オーディオ再生装置
１２…オーディオ信号処理回路
１３…リモコン信号処理回路
１４…マイコン制御による信号ＭＩＸ回路
２０…ＤＩＡＴ・リモコン送信部
２０Ａ…ＤＩＡＴ送信部
２１…高周波信号分離回路
２２…ＤＩＡＴ信号処理部
２３…ＤＩＡＴＬＥＤ駆動回路
３１…リモコンＬＥＤ駆動回路
３２…ＤＩＡＴ受信部（受光部）
４０…リヤスピーカ装置    ４１…アンプ    ４２…スピーカ
５０…フロントスピーカ装置
【図１】
2005051461.tif 000003
【図２】
2005051461.tif 000004
【図３】
2005051461.tif 000005
【図４】
2005051461.tif 000006
【図５】
2005051461.tif 000007
【図６】
2005051461.tif 000008
【図７】
2005051461.tif 000009